(57)【特許請求の範囲】
【請求項１】
防水パンを備えた浴室と、前記浴室に隣接した隣接室との間に設置され、前記隣接室の枠体に構成される戸袋に障子を引き込むことにより、これら浴室及び隣接室の間の出入口を開放するようにした建具において、
少なくとも前記戸袋を構成する部分の下枠には、前記障子が引き込まれるガイド部と、前記隣接室及び前記浴室の間を仕切るための仕切用面材を支持する面材支持部と、前記面材支持部から前記浴室に向けて突出した接合部とを設け、
前記接合部を前記防水パンに接合させることにより、前記戸袋を構成する部分の下枠を前記防水パンに支持させ、
前記接合部には、前記仕切用面材を取り外した状態において前記面材支持部よりも上方に位置し、かつ前記防水パンとの間を締結する締結ネジを前記隣接室から挿通可能とする挿通孔を設けたことを特徴とする建具。
【請求項２】
前記下枠は、前記接合部及び前記面材支持部を個別に成形したものであり、
前記接合部には、前記防水パンの上端部に係止されるフック部と、前記フック部の下端から前記隣接室に向けて突出した当接支持部とを設け、
前記当接支持部の上面に前記面材支持部を接合させることにより、前記接合部を介して前記面材支持部及び前記ガイド部を前記防水パンに支持させることを特徴とする請求項１に記載の建具。
【請求項３】
前記当接支持部の突出端部には、前記面材支持部に係合することによって前記当接支持部からの脱落を阻止する係合突部を設けたことを特徴とする請求項２に記載の建具。
【請求項４】
前記接合部は、前記面材支持部と一体に成形したもので、前記防水パンの上端部に係止されるフック部を有し、
前記接合部を介して前記ガイド部を前記防水パンに支持させることを特徴とする請求項１に記載の建具。
【請求項５】
前記接合部には、下方への突出量が調整可能、かつ下端部が前記防水パンの上端に当接する調整ネジを配設したことを特徴とする請求項１に記載の建具。
【発明の詳細な説明】
【技術分野】
【０００１】
本発明は、防水パンを備えた浴室と、浴室に隣接した隣接室との間に設置され、隣接室の枠体に構成される戸袋に障子を引き込むことにより、これら浴室及び隣接室の間の出入口を開放するようにした建具に関するものである。
【背景技術】
【０００２】
互いに隣接した浴室と脱衣室との間に設置される建具は、浴室ユニットの施工工事が終了した時点で脱衣室に施工を行うのが一般的である。建具の枠体は、浴室と脱衣室との間の出入口を介して浴室ユニットに接続することで、高さや水平方向に沿った位置が規定されることになる。
【０００３】
この種の建具の中には、戸袋が必要となるものもある。例えば、引き戸では、出入口を開放した際に障子を収容しておく戸袋が必要となり、出入口に対して左右方向の寸法が大きな枠体を適用する。枠体において出入口に対応する部分（以下、「出入口部分」という）と戸袋となる部分（以下、「戸袋部分」という）との間には方立が設けられ、さらに戸袋部分には枠体と方立との間に仕切用面材が配設される。枠体の出入口部分については、上述したように、出入口を介して浴室ユニットに接続することで、高さや水平方向に沿った位置を規定することができる。しかしながら、戸袋部分については、浴室ユニットに開口が存在しないため、出入口部分と同じ構造を適用することができない。枠体において戸袋部分の高さが正確に規定されない場合、特に、方立から離隔するに従って戸袋部分の高さが低く傾斜した場合には、下枠に滴下した水が戸袋部分に溜まってしまうこととなり、好ましい状況とはいえない。
【０００４】
このため従来では、戸袋部分の縦枠に浴室に向けて突出する調整金具を取り付けるとともに、調整金具の突出端部に調整ネジを下方に向けて螺合し、防水パンと浴室ユニットの壁パネルとを連結する部材の上面に調整ネジの下端部を当接させるようにしている。この従来技術によれば、調整ネジを適宜方向に回転させれば、防水パンを基準として枠体の戸袋部分が上下に移動することになり、枠体に滴下した水が戸袋部分に溜まってしまう事態を防止することができるようになる（例えば、特許文献１参照）。
【先行技術文献】
【特許文献】
【０００５】
【特許文献１】特開２０１０−３１５２８号公報
【発明の概要】
【発明が解決しようとする課題】
【０００６】
しかしながら、特許文献１の建具にあっては、縦枠と調整金具との間を締結するネジに対して、縦枠の板厚分しか締結長さを確保することができない。しかも、縦枠の水平方向に沿った見付け寸法も限られるため、多数のネジを締結することも困難である。このため、建具に外力が加えられた場合には、縦枠から比較的容易にネジが逸脱する恐れがあり、必ずしも十分な強度が確保されているとはいえない。さらに、縦枠と防水パンとの間には、調整金具を複数設けることができないため、加えられた外力が唯一設けられた調整金具やネジに集中することとなり、上述した問題が顕著となる。
【０００７】
本発明は、上記実情に鑑みて、十分な強度を確保して枠体を位置決め支持させることのできる建具を提供することを目的とする。
【課題を解決するための手段】
【０００８】
上記目的を達成するため、本発明に係る建具は、防水パンを備えた浴室と、前記浴室に隣接した隣接室との間に設置され、前記隣接室の枠体に構成される戸袋に障子を引き込むことにより、これら浴室及び隣接室の間の出入口を開放するようにした建具において、少なくとも前記戸袋を構成する部分の下枠には、前記障子が引き込まれるガイド部と、前記隣接室及び前記浴室の間を仕切るための仕切用面材を支持する面材支持部と、前記面材支持部から前記浴室に向けて突出した接合部とを設け、前記接合部を前記防水パンに接合させることにより、前記戸袋を構成する部分の下枠を前記防水パンに支持させ、前記接合部には、前記仕切用面材を取り外した状態において前記面材支持部よりも上方に位置し、かつ前記防水パンとの間を締結する締結ネジを前記隣接室から挿通可能とする挿通孔を設けたことを特徴とする。
【０００９】
この発明によれば、下枠に設けた接合部を防水パンに接合させることによって戸袋を構成する部分の下枠を防水パンに支持させるようにしているため、下枠と防水パンとの接合箇所を容易に、かつ十分に確保することができ、接合強度が向上する。
【００１０】
また、本発明は、上述した建具において、前記下枠は、前記接合部及び前記面材支持部を個別に成形したものであり、前記接合部には、前記防水パンの上端部に係止されるフック部と、前記フック部の下端から前記隣接室に向けて突出した当接支持部とを設け、前記当接支持部の上面に前記面材支持部を接合させることにより、前記接合部を介して前記面材支持部及び前記ガイド部を前記防水パンに支持させることを特徴とする。
【００１１】
この発明によれば、面材支持部を設置した後に面材支持部と防水パンとの間に接合部を配設することが可能となる。
【００１２】
また、本発明は、上述した建具において、前記当接支持部の突出端部には、前記面材支持部に係合することによって前記当接支持部からの脱落を阻止する係合突部を設けたことを特徴とする。
【００１３】
この発明によれば、係合突部を面材支持部に係合させれば、これら係合突部及び面材支持部の間を接合させることが可能となる。
【００１４】
また、本発明は、上述した建具において、前記接合部は、前記面材支持部と一体に成形したもので、前記防水パンの上端部に係止されるフック部を有し、前記接合部を介して前記ガイド部を前記防水パンに支持させることを特徴とする。
【００１５】
この発明によれば、接合部と面材支持部とを一体に取り扱うことができる。
【００１７】
この発明によれば、仕切用面材を取り外せば、隣接室から締結ネジを締結する作業を行うことができる。
【００１８】
また、本発明は、上述した建具において、前記接合部には、下方への突出量が調整可能、かつ下端部が前記防水パンの上端に当接する調整ネジを配設したことを特徴とする。
【００１９】
この発明によれば、調整ネジを適宜方向に回転させることで防水パンに対する接合部の高さ位置が上下に変化する。
【発明の効果】
【００２０】
本発明によれば、防水パンの上端と同じ方向に沿った下枠に接合部を設けるようにしているため、接合部を複数設けたり、締結ネジを複数設けることが容易である。従って、加えられた外力が１箇所に集中する等の問題を招来することがなく、十分な接合強度を確保して枠体を防水パンに位置決め支持させることが可能となる。
【図面の簡単な説明】
【００２１】
【図１】図１は、本発明の実施の形態１である建具の戸袋部分を示す断面側面図である。
【図２】図２は、図１に示した建具の断面平面図である。
【図３】図３は、図１に示した建具の出入口部分を示す断面側面図である。
【図４】図４は、図１に示した建具に適用する接合部の斜視図である。
【図５】図５は、本発明の実施の形態２である建具の戸袋部分を示す断面側面図である。
【図６】図６は、図５に示した建具に適用する接合部及び補助接合部の分解斜視図である。
【図７】図７は、本発明の実施の形態３である建具の戸袋部分を示す断面側面図である。
【図８】図８は、本発明の実施の形態４である建具の戸袋部分を示す断面側面図である。
【図９】図９は、本発明の実施の形態５である建具の戸袋部分を示す断面側面図である。
【図１０】図１０は、本発明の実施の形態６である建具の戸袋部分を示す断面側面図である。
【発明を実施するための形態】
【００２２】
以下、添付図面を参照しながら本発明に係る建具の好適な実施の形態について詳細に説明する。
【００２３】
（実施の形態１）
図１〜図３は、本発明の実施の形態１である建具を示したものである。ここで例示する建具は、浴室と、浴室に隣接した脱衣室（隣接室）との間に設けられる引き戸である。図には明示していないが、浴室の内部には、建具を施工する以前に既に浴室ユニットが施工された状態にある。浴室ユニットは、浴室の床部分を覆うように設けられる防水パンＡと、床以外の部分を取り囲むように配設した周壁パネルＢとを備えたもので、脱衣室に対しては周壁パネルＢに設けた出入口Ｃのみが開口している。防水パンＡには、周壁パネルＢの下端が接合される接合面Ｄよりも外方となる部位に外周縁部Ｅが設けてある。外周縁部Ｅは、接合面Ｄの外周端から鉛直上方に向けて突出した部分であり、その上端が脱衣室の床面Ｆよりも上方においてほぼ水平となるように設置されている。外周縁部Ｅを含む防水パンＡの板厚は、後述の建具の枠体１０よりも大きな寸法に構成してある。
【００２４】
上述の浴室を対象として脱衣室に設ける建具は、枠体１０を備えている。枠体１０は、アルミニウムやアルミニウム合金によって押し出し成形された上枠１１、下枠１２、左右一対の縦枠１３，１４を四周枠組みすることにより、左右方向の寸法が出入口Ｃのほぼ２倍となる大きさに構成したものである。本実施の形態１で例示する枠体１０は、図２において左方側に位置する部分が右方側に位置する部分に比べて見込み寸法が大きく構成してある。具体的には、上枠１１及び下枠１２において左右方向のほぼ中央となる位置から左方側に位置する部分が浴室に向けて突出するように見込み寸法が大きく構成してあり、これに合わせて左方側に位置する縦枠（以下、「戸先枠１３」という）が、右方側に位置する縦枠（以下、「戸尻枠１４」という）の見込み寸法よりも大きく構成してある。上枠１１と下枠１２との間において見込み寸法が大きく構成された部分のもっとも右端に位置する部分には、方立１５が設けてある。方立１５は、戸先枠１３及び戸尻枠１４と平行となるように配設したもので、枠体１０の内部を、浴室と脱衣室との間の出入口Ｃに対応する左方側部分（以下、「出入口部分１０Ａ」という）と、戸袋となる右方側部分（以下、「戸袋部分１０Ｂ」という）とに分割している。戸先枠１３から方立１５までの距離は、出入口Ｃの開口幅とほぼ同じに設定してあり、枠体１０の出入口部分１０Ａを、戸先枠１３及び方立１５とともに出入口Ｃに挿通させることが可能である。
【００２５】
この枠体１０には、上枠１１及び下枠１２において戸先枠１３と戸尻枠１４との間に位置する部分にガイド部１１１，１２１が設けてある。ガイド部１１１，１２１は、上枠１１及び下枠１２のほぼ全長に渡って配設したもので、互いの間に障子２０をスライド可能に支持している。障子２０は、上框２１、下框２２、左右一対の縦框２３，２４を四周框組みすることによって構成した框の内部に面材２５を支持して構成したものである。この障子２０は、出入口Ｃよりも大きい寸法に形成してあり、枠体１０の出入口部分１０Ａに配置した場合に、戸先枠１３から方立１５までの間の開口を閉塞することが可能である。本実施の形態１では、上枠１１及び下枠１２にそれぞれレールとなるヒレ１１１ａ，１２１ａを設けることによってガイド部１１１，１２１を構成し、それぞれのヒレ１１１ａ，１２１ａを上框２１のガイド溝２１ａ及び下框２２のガイド溝２２ａに位置させることで、上枠１１と下枠１２との間に障子２０を左右方向に沿ってスライド可能に支持している。
【００２６】
一方、枠体１０の戸袋部分１０Ｂには、面材支持部１１２，１２２，１４１，１５１が設けてある。面材支持部１１２，１２２，１４１，１５１は、上枠１１、下枠１２、戸尻枠１４及び方立１５によって囲まれた矩形状の開口部分に仕切用面材１６を支持するためのもので、上枠１１、下枠１２、戸尻枠１４及び方立１５のそれぞれに構成してある。
【００２７】
上枠１１及び下枠１２の面材支持部１１２，１２２は、戸袋部分１０Ｂにおいて上枠１１及び下枠１２の互いに対向する部位から相互に近接する方向に向けて突出したものである。上枠１１の面材支持部１１２は、ガイド部１１１とは別個に成形してあり、下枠１２の面材支持部１２２はガイド部１２１と一体に成形してある。各面材支持部１１２，１２２には、個々の先端部に挟持溝部１１２ａ，１２２ａが設けてある。挟持溝部１１２ａ，１２２ａは、仕切用面材１６の端縁部が装着された場合に仕切用面材１６を挟持する溝状の凹部であり、上枠１１に設けたものの開口と下枠１２に設けたものの開口とが互いに対向する状態で面材支持部１１２，１２２の全長に渡って形成してある。
【００２８】
下枠１２の面材支持部１２２は、枠体１０を脱衣室に設置した場合に、その上端位置が防水パンＡの外周縁部Ｅよりも低い位置となるように、予めその突出高さが設定してある。この下枠１２の面材支持部１２２には、係合溝部１２２ｂが設けてある。係合溝部１２２ｂは、面材支持部１２２においてガイド部１２１から上方に向けて突出した立上部１２２ｃと、挟持溝部１２２ａを構成する部分（以下、「溝構成部１２２ｄ」という）との間に形成した溝状の凹所であり、下方に開口するように構成してある。
【００２９】
戸尻枠１４及び方立１５に設けた面材支持部１４１，１５１は、戸尻枠１４及び方立１５の互いに対向する部位から相互に近接する方向に向けて突出したもので、個々の先端部において脱衣室側に位置する部位に押縁１７を備えている。押縁１７は、面材支持部１４１，１５１の突出端部に着脱可能に装着され、面材支持部１４１，１５１に装着された場合に互いの間に挟持部１４１ａ，１５１ａを構成するものである。挟持部１４１ａ，１５１ａは、挟持溝部１１２ａ，１２２ａと同様、仕切用面材１６の端縁部が装着された場合に仕切用面材１６を挟持する溝状の凹部であり、個々の開口が上枠１１に設けた挟持溝部１１２ａの開口及び下枠１２に設けた挟持溝部１２２ａの開口と合致する状態で面材支持部１４１，１５１に設けてある。
【００３０】
さらに、下枠１２の戸袋部分１０Ｂには、接合部１２３が設けてある。接合部１２３は、下枠１２の面材支持部１２２とは個別に成形したもので、面材支持部１２２に対して長さの短いブラケット状を成している。この接合部１２３は、図４に示すように、当接支持部１２３１及びフック部１２３２を有している。当接支持部１２３１及びフック部１２３２は、互いに直角方向に屈曲した板状を成すもので、側面視が略Ｌ字状を成している。当接支持部１２３１の先端部は、フック部１２３２と同じ方向に折り返すことにより、係合突部１２３３を構成している。この係合突部１２３３は、当接支持部１２３１を下枠１２の溝構成部１２２ｄの下面に当接させた場合に、係合溝部１２２ｂに挿入することのできる大きさに形成してある。フック部１２３２の先端部は、当接支持部１２３１とは反対側となる方向において逆Ｕ字状に屈曲しており、この逆Ｕ字状に屈曲した部分を介して防水パンＡの外周縁部Ｅに係止させることが可能である。接合部１２３のフック部１２３２には、一対のネジ挿通孔１２３２ａが形成してある。ネジ挿通孔１２３２ａは、長孔状を成す貫通孔であり、互いに平行、かつ当接支持部１２３１に対して直角方向に延在するようにフック部１２３２に設けてある。
【００３１】
上記のように構成した建具を設置する場合には、図１〜図３に示すように、浴室と脱衣室との間に設けられた枠孔Ｇに枠体１０を装着し、それぞれの枠１１，１２，１３，１４から脱衣室に向けて突出するヒレを額縁部材３０に締結させる。
【００３２】
浴室に向けて突出した枠体１０の出入口部分１０Ａについては、浴室ユニットの出入口Ｃに挿入し、この挿入した部分を浴室ユニットの周壁パネルＢや防水パンＡに位置決め支持させる。例えば、図２に示す実施の形態１では、戸先枠１３及び方立１５を介して周壁パネルＢにそれぞれネジＳを締結することにより、出入口部分１０Ａを浴室ユニットに接合している。これにより、枠体１０の出入口部分１０Ａについては、浴室ユニットを基準として、その高さや水平方向に沿った位置が規定されることになる。
【００３３】
一方、戸袋部分１０Ｂについては、図１に示すように、接合部１２３の係合突部１２３３を下枠１２の係合溝部１２２ｂに挿入した後、フック部１２３２を介して接合部１２３を防水パンＡの外周縁部Ｅに係止させる。この状態からネジ挿通孔１２３２ａを介して防水パンＡに締結ネジ４０を締結し、接合部１２３を防水パンＡに接合させる。この状態においては、係合突部１２３３を介して当接支持部１２３１の上面に接合された面材支持部１２２、並びに面材支持部１２２と一体に成形したガイド部１２１が、接合部１２３とともに防水パンＡに支持されることになる。つまり、接合部１２３を防水パンＡに接合させることにより、戸袋部分１０Ｂについても浴室ユニットを基準として、その高さや水平方向に沿った位置を規定することができるようになる。
【００３４】
ここで、仕切用面材１６を取り付ける以前においては、戸袋部分１０Ｂにおいて上枠１１、下枠１２、戸尻枠１４及び方立１５によって囲まれた部分が開口しており、しかも、防水パンＡの外周縁部Ｅが下枠１２に設けた面材支持部１２２よりも上方に突出した状態にある。さらには、フック部１２３２を介して接合部１２３を防水パンＡに係止させた状態に維持することができる。従って、締結ネジ４０を締結する場合には、接合部１２３を手で支えておく必要がなく、脱衣室側において目視しながら実施することができ、その作業をきわめて容易に行うことが可能となる。
【００３５】
また、締結ネジ４０を挿通するネジ挿通孔１２３２ａを上下方向に沿った長孔状に形成しているため、締結ネジ４０の締結状態を弛緩させれば、締結ネジ４０を挿通させた状態のまま防水パンＡに対して接合部１２３の接合位置を上下に移動して調整することができる。防水パンＡに対する接合部１２３の接合位置を調整した後には、そのまま締結ネジ４０を締結させることで、接合部１２３の接合位置を維持することが可能である。従って、枠体１０の戸袋部分１０Ｂが出入口部分１０Ａに対して下方に傾斜した状態を解消すべく、防水パンＡの外周縁部Ｅに対して接合部１２３の接合位置を高く変更する場合にも、その作業を容易に実施することが可能となる。
【００３６】
さらに、接合部１２３を接合する締結ネジ４０は、押し出し成形された枠１１，１２，１３，１４よりも板厚寸法が大きく設定された防水パンＡの外周縁部Ｅに締結するものであり、締結長さを十分に確保することができる。しかも、防水パンＡの上端と枠体１０の下枠１２とは、それぞれが水平方向に沿って延在するものである。従って、これらの間に介在する接合部１２３としては、その幅方向の寸法を大きく確保することが可能であり、締結ネジ４０についても防水パンＡに対して複数箇所（実施の形態１では２箇所）で締結することができる。このため、締結ネジ４０を締結させた状態においては、外力が加えられた場合にも、その外力が１箇所に集中する等の問題を招来することがなく、防水パンＡに対する接合部１２３の接合強度を確保することができる。
【００３７】
上記のようにして枠体１０を設置した後においては、戸袋部分１０Ｂにおいて上枠１１、下枠１２、戸尻枠１４及び方立１５によって囲まれた部分に仕切用面材１６を配設し、さらに枠体１０のガイド部１１１，１２１に障子２０を支持させれば、浴室と脱衣室の間の出入口Ｃを開閉する引き戸が完成する。すなわち、障子２０をスライドさせて枠体１０の出入口Ｃ部に位置させれば、出入口Ｃを閉塞することができる。一方、障子２０をスライドさせて戸袋部分１０Ｂのガイド部１１１，１２１に位置させれば、出入口Ｃを開放して人の出入りが許容される。
【００３８】
枠体１０の戸袋部分１０Ｂに仕切用面材１６を配設した後においては、接合部１２３が覆い隠されることになり、脱衣室の美観を損なう恐れがないばかりか、誤って締結ネジ４０が操作される事態を防止し、戸袋部分１０Ｂの位置が不用意に変更されることもない。
【００３９】
（実施の形態２）
図５は、本発明の実施の形態２である建具の要部を示したものである。ここで例示する建具は、実施の形態１と同様、浴室と、浴室に隣接した脱衣室との間に引き戸として設けられるもので、実施の形態１とは、戸袋部分１０Ｂの下枠１２に設ける接合部１２３の構成が異なっている。
【００４０】
すなわち、実施の形態２の建具に適用する接合部２２３は、図５及び図６に示すように、フック部２２３２の先端部から逆Ｕ字状に屈曲した部分（以下、「屈曲部２２３２ｂ」という）に調整ネジ５０を備えている。調整ネジ５０は、屈曲部２２３２ｂに対して上方から貫通するように螺合させたもので、回転させることによって屈曲部２２３２ｂからの下方への突出量を調整することが可能である。本実施の形態２では、締結ネジ４０と同様、調整ネジ５０を屈曲部２２３２ｂの２箇所に設けてある。
【００４１】
図からも明らかなように、フック部２２３２の屈曲部２２３２ｂは、実施の形態１のものに比べて水平に延在する部分の寸法が大きく構成してあり、防水パンＡの外周縁部Ｅに対向する部位に補助フック部２２４を備えている。補助フック部２２４は、接合部２２３とは個別に成形したもので、フック部２２３２に沿って延在した後、屈曲部２２３２ｂと同じ方向に向けて逆Ｕ字状に屈曲しており、この逆Ｕ字状に屈曲した部分を介して防水パンＡの外周縁部Ｅに係止させることが可能である。この補助フック部２２４には、補助ネジ挿通孔２２４ａが設けてある。補助ネジ挿通孔２２４ａは、接合部２２３と重ね合わせた場合にフック部２２３２に設けた長孔状のネジ挿通孔２２３２ａの内部に位置する円形の貫通孔である。
【００４２】
尚、接合部２２３以外の構成については、実施の形態１と同様であり、対応する構成に同一の符号を付してそれぞれの詳細説明を省略する。
【００４３】
実施の形態２の建具においても、枠体１０の出入口部分１０Ａについては浴室ユニットの出入口Ｃに挿入して浴室ユニットの周壁パネルＢや防水パンＡに位置決め支持させる。
【００４４】
一方、戸袋部分１０Ｂについては、接合部２２３の当接支持部２２３１に設けた係合突部２２３３を下枠１２の係合溝部１２２ｂに挿入した後、フック部２２３２と防水パンＡの外周縁部Ｅとの間に補助フック部２２４を介在させた状態で、フック部２２３２を介して接合部２２３を防水パンＡの外周縁部Ｅに係止させる。この状態からフック部２２３２のネジ挿通孔２２３２ａ及び補助フック部２２４の補助ネジ挿通孔２２４ａを介して防水パンＡに締結ネジ４０を締結し、接合部２２３を防水パンＡに接合させる。この状態においては、係合突部２２３３を介して当接支持部２２３１の上面に接合された面材支持部１２２、並びに面材支持部１２２と一体に成形したガイド部１２１が、接合部２２３とともに防水パンＡに支持されることになる。つまり、接合部２２３を防水パンＡに接合させることにより、戸袋部分１０Ｂについても浴室ユニットを基準として、その高さや水平方向に沿った位置を規定することができるようになる。
【００４５】
仕切用面材１６を取り付ける以前においては、戸袋部分１０Ｂにおいて上枠１１、下枠１２、戸尻枠１４及び方立１５によって囲まれた部分が開口しており、しかも、防水パンＡの外周縁部Ｅが下枠１２に設けた面材支持部１２２よりも上方に突出した状態にある。さらには、フック部２２３２を介して接合部２２３を防水パンＡに係止させた状態に維持することができる。従って、締結ネジ４０を締結する場合には、接合部２２３を手で支えておく必要がなく、脱衣室側において目視しながら実施することができ、その作業をきわめて容易に行うことが可能となる。
【００４６】
また、締結ネジ４０を挿通するネジ挿通孔２２３２ａを上下方向に沿った長孔状に形成しているため、締結ネジ４０の締結状態を弛緩させれば、締結ネジ４０を挿通させた状態のまま防水パンＡに対して接合部２２３の接合位置を上下に移動して調整することができる。しかも、実施の形態２では、接合部２２３の屈曲部２２３２ｂに調整ネジ５０を設けるようにしているため、調整ネジ５０を適宜方向に回転させれば、直接接合部２２３を移動させずとも、外周縁部Ｅに対する接合部２２３の位置を上下に調整することが可能となる。このとき、調整ネジ５０と防水パンＡの外周縁部Ｅとの間には補助フック部２２４が介在し、調整ネジ５０が直接防水パンＡに摺接することがない。従って、調整ネジ５０を回転させることに起因して防水パンＡに損傷を来す恐れもない。
【００４７】
防水パンＡに対する接合部２２３の接合位置を調整した後には、そのまま締結ネジ４０を締結させることで、接合部２２３の接合位置を維持することが可能である。従って、枠体１０の戸袋部分１０Ｂが出入口部分１０Ａに対して下方に傾斜した状態を解消すべく、防水パンＡの外周縁部Ｅに対して接合部２２３の接合位置を高く変更する場合にも、その作業を容易に実施することが可能となる。
【００４８】
さらに、接合部２２３を接合する締結ネジ４０は、押し出し成形された枠１１，１２，１３，１４よりも板厚寸法が大きく設定された防水パンＡの外周縁部Ｅに締結するものであり、締結長さを十分に確保することができる。しかも、防水パンＡの上端と枠体１０の下枠１２とは、それぞれが水平方向に沿って延在するものである。従って、これらの間に介在する接合部２２３としては、その幅方向の寸法を大きく確保することが可能であり、締結ネジ４０についても防水パンＡに対して複数箇所（実施の形態２では２箇所）で締結することができる。このため、締結ネジ４０を締結させた状態においては、外力が加えられた場合にも、その外力が１箇所に集中する等の問題を招来することがなく、防水パンＡに対する接合部２２３の接合強度を確保することができる。
【００４９】
尚、上述した実施の形態１及び実施の形態２では、いずれも下枠１２のガイド部１２１と面材支持部１２２とを一体に成形したものを例示したが、本発明は必ずしもガイド部と面材支持部とを一体に成形する必要はない。例えば、図７の実施の形態３や図８の実施の形態４に示すように、ガイド部１２１と面材支持部１２２とを個別に成形し、互いの間を接合ネジ６０によって接合させるようにすることも可能である。ガイド部１２１と面材支持部１２２との間を接合する接合ネジ６０は、下枠１２の長手方向に沿って複数箇所に設けることが可能である。従って、ガイド部１２１と面材支持部１２２とを個別に成形した実施の形態３や実施の形態４の建具においても、接合ネジ６０が接合強度の低下や外力の集中に起因した問題を招来する恐れはなく、実施の形態１や実施の形態２と同様の作用効果を奏する。
【００５０】
また、上述した実施の形態１〜実施の形態４では、接合部１２３，２２３に係合突部１２３３，２２３３を設け、係合突部１２３３，２２３３を下枠１２の係合溝部１２２ｂに挿入することにより、接合部１２３，２２３の当接支持部１２３１，２２３１に面材支持部１２２を接合させるようにしているが、図９の実施の形態５に示すように、接合部２２３の当接支持部２２３１と面材支持部１２２との間を接合ネジ７０によって互いに接合するようにしても良い。さらに、図１０の実施の形態６に示すように、下枠１２のガイド部１２１、面材支持部１２２及び接合部２２３を一体に成形することも可能である。
【００５１】
実施の形態３〜実施の形態６において、実施の形態１もしくは実施の形態２と同様の構成に関しては、同一の符号を付してそれぞれの詳細説明を省略している。
【００５２】
尚、上述した実施の形態１〜実施の形態６は、建具としていずれも引き戸を例示しているが、隣接室の枠体に構成される戸袋に障子を引き込むことによって出入口を開放するものであれば、例えば、引き違い窓等、その他の建具にも適用することが可能である。
【符号の説明】
【００５３】
１０      枠体
１０Ａ      出入口部分
１０Ｂ      戸袋部分
１２      下枠
１６      仕切用面材
２０      障子
４０      締結ネジ
５０      調整ネジ
６０      接合ネジ
７０      接合ネジ
１２１      ガイド部
１２２      面材支持部
１２３，２２３      接合部
１２３１，２２３１      当接支持部
１２３２，２２３２      フック部
１２３２ａ，２２３２ａ      ネジ挿通孔
１２３３，２２３３      係合突部
Ａ      防水パン
Ｃ      出入口
Ｅ      外周縁部
【図１】
0005809601.tif 000002
【図２】
0005809601.tif 000003
【図３】
0005809601.tif 000004
【図４】
0005809601.tif 000005
【図５】
0005809601.tif 000006
【図６】
0005809601.tif 000007
【図７】
0005809601.tif 000008
【図８】
0005809601.tif 000009
【図９】
0005809601.tif 000010
【図１０】
0005809601.tif 000011